(57)【要約】【課題】  設置の容易な空気調和機および空気調和機の設置方法を提供する。【解決手段】  空気調和機１００は、吹出しチャンバー３と、隙間閉塞シート５と、輻射パネル１と、支持フレーム６とを備える。吹出しチャンバー３は、温度調整された空気が吹き出される吹出口３１を有し、吹出口３１が天井面ＣＬに設けられた吹出しチャンバー用開口３２を通して室内ＲＳ側に面するように配置される。隙間閉塞シート５は、天井面ＣＬに固定され、吹出口３１と天井面ＣＬに設けられた吹出しチャンバー用開口３２との隙間を閉塞する。輻射パネル１は、吹出口３１を室内ＲＳ側から覆うように配置され、吹出口３１から吹き出された空気が取り込まれる空間ＩＳを構成する。また、輻射パネル１は、所定の輻射率を有し空気が透過する繊維系材料によって形成される。支持フレーム６は、隙間閉塞シート５と別体であり、天井面ＣＬに固定され、輻射パネル１を支持する。【選択図】      図２
2006300426.tif 000002
【特許請求の範囲】
【請求項１】
温度調整された空気が吹き出される吹出口（３１）を有し、前記吹出口（３１）が天井面（ＣＬ）に設けられた開口（３２）を通して室内（ＲＳ）側に面するように配置される吹出部（３）と、
前記天井面（ＣＬ）に固定され、前記吹出口（３１）と前記天井面（ＣＬ）に設けられた前記開口（３２）との隙間を閉塞する隙間閉塞部材（５）と、
前記吹出口（３１）を前記室内（ＲＳ）側から覆うように配置され、前記吹出口（３１）から吹き出された空気が取り込まれる空間（ＩＳ）を構成し、所定の輻射率を有し前記空気が透過する繊維系材料によって形成された輻射パネル（１）と、
前記隙間閉塞部材（５）と別体であり、前記天井面（ＣＬ）に固定され、前記輻射パネル（１）を支持する支持フレーム（６）と、
を備える空気調和機（１００）。
【請求項２】
前記支持フレーム（６）は、前記天井面（ＣＬ）を構成する天井ボード（８１）を天井裏側で支持する下地材（８２）に固定される、
請求項１に記載の空気調和機（１００）。
【請求項３】
前記支持フレーム（６）は、前記天井面（ＣＬ）に設けられた前記開口（３２）の周囲に前記開口（３２）から所定距離離れた位置に設けられる、
請求項１または２に記載の空気調和機（１００）。
【請求項４】
前記隙間閉塞部材（５）は、前記開口（３２）から前記支持フレーム（６）までに亘って設けられる、
請求項３に記載の空気調和機（１００）。
【請求項５】
前記隙間閉塞部材（５）は、前記天井面（ＣＬ）に貼付されるシート状の部材である、
請求項４に記載の空気調和機（１００）。
【請求項６】
前記空気の温度調整を行い前記吹出部（３）へと送る温度調整ユニット（２）をさらに備える、
請求項１から５のいずれかに記載の空気調和機（１００）。
【請求項７】
前記温度調整ユニット（２）は、天井裏（ＣＳ）に配置され前記開口（３２）の上方に位置する、
請求項６に記載の空気調和機（１００）。
【請求項８】
前記支持フレーム（６）の周囲を外側から覆う外フレーム（７）をさらに備える、
請求項１から７のいずれかに記載の空気調和機（１００）。
【請求項９】
天井面（ＣＬ）に設置される輻射パネル（１）によって室内（ＲＳ）の温度調節を行う空気調和機（１００）の設置方法であって、
温度調整された空気が吹き出される吹出口（３１）を有する吹出部（３）が、前記天井面（ＣＬ）に設けられた開口（３２）を通して前記吹出口（３１）が前記室内（ＲＳ）側に面するように配置される吹出部設置ステップ（Ｓ４）と、
前記輻射パネル（１）を支持する支持フレーム（６）が前記天井面（ＣＬ）に固定される支持フレーム固定ステップ（Ｓ７）と、
前記支持フレーム（６）と別体であり前記吹出口（３１）と前記天井面（ＣＬ）に設けられた前記開口（３２）との隙間を閉塞する隙間閉塞部材（５）が前記天井面（ＣＬ）に固定される隙間閉塞部材固定ステップ（Ｓ８）と、
前記吹出口（３１）から吹き出された空気が取り込まれる空間（ＩＳ）を構成し所定の輻射率を有し前記空気が透過する繊維系材料によって形成された前記輻射パネル（１）が、前記吹出口（３１）を前記室内（ＲＳ）側から覆うように前記支持フレーム（６）に固定される輻射パネル設置ステップ（Ｓ９）と、
を備える空気調和機（１００）の設置方法。
【発明の詳細な説明】
【技術分野】
【０００１】
本発明は、空気調和機および空気調和機の設置方法に関する。
【背景技術】
【０００２】
所定の輻射率を有する織布等で形成された輻射パネルに温度調整された空気を送り、輻射パネルからの輻射と、輻射パネルから吹き出される空気の吹き出しとによって室内の温度調整を行う空気調和機が公開されている（特許文献１参照）。
【特許文献１】特開２００４−２７１０５７
【発明の開示】
【発明が解決しようとする課題】
【０００３】
上記のような輻射パネルを天井面に設置するとき、輻射パネルを支持する支持フレームを天井面に取り付ける必要がある。しかし、この支持フレームはどこにでも取り付け可能とは限らず、天井面の構造によっては取付位置が制限される場合がある。支持フレームの取付位置が制限され、支持フレームの取付の自由度が低い場合には、輻射パネルの設置が困難になる。
【０００４】
本発明の課題は、設置の容易な空気調和機および空気調和機の設置方法を提供することにある。
【課題を解決するための手段】
【０００５】
第１発明にかかる空気調和機は、吹出部と、隙間閉塞部材と、輻射パネルと、支持フレームとを備える。吹出部は、温度調整された空気が吹き出される吹出口を有し、吹出口が天井面に設けられた開口を通して室内側に面するように配置される。隙間閉塞部材は、天井面に固定され、吹出口と天井面に設けられた開口との隙間を閉塞する。輻射パネルは、吹出口を室内側から覆うように配置され、吹出口から吹き出された空気が取り込まれる空間を構成する。また、輻射パネルは、所定の輻射率を有し空気が透過する繊維系材料によって形成される。支持フレームは、隙間閉塞部材と別体であり、天井面に固定され、輻射パネルを支持する。
【０００６】
この空気調和機では、吹出部の吹出口が天井面に設けられた開口を通して室内側に面するように配置され、輻射パネルが吹出口を室内側から覆うように配置されることにより、吹出口から吹き出された空気が輻射パネル内に取り込まれる。輻射パネルは取り込んだ空気によって温度調整され、その輻射によって室内の温度調整が行われる。それと共に、輻射パネルが構成する空間に取り込まれた空気が輻射パネルの繊維の隙間から室内へと吹き出されることによって、室内の温度調整が行われる。
【０００７】
また、天井面に設けられた開口と吹出口との間の隙間は隙間閉塞部材によって閉塞されるため、隙間から空気が漏れることを抑えられることができる。
そして、輻射パネルを支持する支持フレームが隙間閉塞部材と別体であるため、支持フレームを取り付けるときに、隙間閉塞部材とは別に取り付けることができる。このため、この空気調和機では、フレームの取付位置の自由度が高く、設置を容易に行うことができる。
【０００８】
第２発明にかかる空気調和機は、第１発明の空気調和機であって、支持フレームは、天井面を構成する天井ボードを天井裏側で支持する下地材に固定される。
天井面は、比較的薄い天井ボードによって構成されることが多く、このような天井ボードで構成された天井面のみに支持フレームが固定される場合には、強固な固定が困難である。そこで、天井ボードを天井裏側で支持する下地材に支持フレームを固定することが考えられる。支持フレームがこのように固定されれば強固な固定が可能であるが、下地材は天井面の限られた位置にしか配置されておらず、支持フレームの位置調整が困難になる恐れがある。
【０００９】
しかし、この空気調和機では、支持フレームを隙間閉塞部材とは別に取り付けることができるため、支持フレームが下地材に重なる位置に配置されるように位置調整することが容易である。このため、この空気調和機では、設置が容易であると共に支持フレームを強固に取り付けることができる。
第３発明にかかる空気調和機は、第１発明または第２発明の空気調和機であって、支持フレームは、天井面に設けられた開口の周囲に開口から所定距離離れた位置に設けられる。
【００１０】
この空気調和機では、支持フレームは、天井面に設けられた開口の周囲に開口から所定距離離れた位置に設けられる。すなわち、開口は支持フレームで囲まれた範囲よりも小さい。従って、天井面に開口を設ける場合には、支持フレームよりも小さな面積の開口を穿つだけでよく、設置工事が容易である。
第４発明にかかる空気調和機は、第３発明の空気調和機であって、隙間閉塞部材は、開口から支持フレームまでに亘って設けられる。
【００１１】
この空気調和機では、隙間閉塞部材は、開口から支持フレームまでに亘って設けられるため、開口から支持フレームまでの範囲において天井面を覆い保護することができる。
第５発明にかかる空気調和機は、第４発明の空気調和機であって、隙間閉塞部材は、天井面に貼付されるシート状の部材である。
この空気調和機では、隙間閉塞部材は、天井面に貼付されるシート状の部材であるため、比較的軽量である。このため、隙間閉塞部材を簡易に天井面へ固定することができる。
【００１２】
第６発明にかかる空気調和機は、第１発明から第５発明の空気調和機であって、空気の温度調整を行い吹出部へと送る温度調整ユニットをさらに備える。
この空気調和機では、温度調整ユニットで温度調整された空気が吹出部の吹出口を通って輻射パネルが構成する空間へと送られる。
第７発明にかかる空気調和機は、第６発明の空気調和機であって、温度調整ユニットは、天井裏に配置され開口の上方に位置する。
【００１３】
この空気調和機では、温度調整ユニットが天井裏に配置される。このため、温度調整ユニットが室内の居住者等の目に触れることが防止され、美観を向上させることができる。
第８発明にかかる空気調和機は、第１発明から第７発明のいずれかの空気調和機であって、支持フレームの周囲を外側から覆う外フレームをさらに備える。
この空気調和機では、外フレームが支持フレームの外側を覆うことによって、輻射パネルと支持フレームとの支持部分を隠蔽することができる。これにより、美観を向上させることができる。
【００１４】
第９発明にかかる空気調和機の設置方法は、天井面に設置される輻射パネルによって室内の温度調節を行う空気調和機の設置方法であって、吹出部設置ステップと、支持フレーム固定ステップと、隙間閉塞部材固定ステップと、輻射パネル設置ステップとを備える。吹出部設置ステップでは、温度調整された空気が吹き出される吹出口を有する吹出部が、天井面に設けられた開口を通して吹出口が室内側に面するように配置される。支持フレーム固定ステップでは、輻射パネルを支持する支持フレームが天井面に固定される。隙間閉塞部材固定ステップでは、支持フレームと別体であり吹出口と天井面に設けられた開口との隙間を閉塞する隙間閉塞部材が天井面に固定される。そして、輻射パネル設置ステップでは、吹出口から吹き出された空気が取り込まれる空間を構成し所定の輻射率を有し空気が透過する繊維系材料によって形成された輻射パネルが、吹出口を室内側から覆うように支持フレームに固定される。
【００１５】
この空気調和機の設置方法では、輻射パネルを支持する支持フレームが隙間閉塞部材と別体であるため、支持フレームを取り付けるときに隙間閉塞部材とは別に取り付けることができる。このため、この空気調和機の設置方法では、フレームの取付位置の自由度が高く、設置を容易に行うことができる。
【発明の効果】
【００１６】
第１発明にかかる空気調和機では、支持フレームを隙間閉塞部材とは別に取り付けることができるため、設置を容易に行うことができる。
第２発明にかかる空気調和機では、支持フレームが下地材に重なる位置に配置されるように位置調整することが容易であるため、設置が容易であると共に支持フレームを強固に取り付けることができる。
【００１７】
第３発明にかかる空気調和機では、天井面に開口を設ける場合には、支持フレームよりも小さな面積の開口を穿つだけでよく、設置工事が容易である。
第４発明にかかる空気調和機では、隙間閉塞部材は、開口から支持フレームまでに亘って設けられるため、開口から支持フレームまでの範囲において天井面を覆い保護することができる。
【００１８】
第５発明にかかる空気調和機では、隙間閉塞部材は、天井面に貼付されるシート状の部材であるため、比較的軽量であるため、隙間閉塞部材を簡易に天井面へ固定することができる。
第６発明にかかる空気調和機では、温度調整ユニットで温度調整された空気が吹出部の吹出口を通って輻射パネルが構成する空間へと送られる。
【００１９】
第７発明にかかる空気調和機では、温度調整ユニットが室内の居住者等の目に触れることが防止され、美観を向上させることができる。
第８発明にかかる空気調和機では、外フレームによって、輻射パネルと支持フレームとの支持部分を隠蔽することができ、美観を向上させることができる。
第９発明にかかる空気調和機の設置方法では、支持フレームを隙間閉塞部材とは別に取り付けることができるため、設置を容易に行うことができる。
【発明を実施するための最良の形態】
【００２０】
＜構成＞
本発明の一実施形態に係る空気調和機１００を図１および図２に示す。この空気調和機１００は、天井面ＣＬに設置される輻射パネル１によって室内ＲＳの温度調節を行う空気調和機１００であり、輻射と温度調整された空気の吹き出しとによって冷暖房等の室内ＲＳの空気調和を行うことができる。なお、図１は、空気調和機１００を室内Ｒ側から見た斜視図であり、図２は、天井面ＣＬの構造と共に空気調和機１００の構成を示している。空気調和機１００は、温度調整ユニット２と吹出しチャンバー３と吸込みチャンバー４（図４（ｂ）参照）と隙間閉塞シート５と輻射パネル１と支持フレーム６と外フレーム７とを備える。
【００２１】
〈温度調整ユニット〉
温度調整ユニット２は、ビルトイン型の室内機であり、吸込みチャンバー４から取り込まれた空気の温度調整を行い、吹出しチャンバー３を介して輻射パネル１が構成する内部空間ＩＳへと送る装置である。
温度調整ユニット２は、天井裏ＣＳに配置されており、吊りボルト２１等によって天井裏ＣＳの梁に固定されている。温度調整ユニットは、後述する吹出しチャンバー用開口３２の上方に位置している。温度調整ユニット２は、図示しない室外機との間で冷媒回路を構成しており、冷媒と空気との間で熱交換を行う。温度調整ユニット２には吸込みチャンバー４に接続される吸込みダクト４１が連結されており、吸込みチャンバー４から吸い込まれた室内ＲＳの空気が吸込みダクト４１を通って温度調整ユニット２の内部に取り込まれる。温度調整ユニット２は、内部に図示しない送風機と熱交換器とを有しており、取り込んだ空気を熱交換器に通し、冷媒との間で熱交換された空気を吹出して吹出しチャンバー３へと送る。
【００２２】
〈吹出しチャンバー〉
吹出しチャンバー３（吹出部）は、温度調整ユニット２の下面に取り付けられており、温度調整された空気が吹き出される吹出口３１を下面に有する箱状の部材である。吹出口３１は、温度調整ユニット２から吹き出され吹出しチャンバー３の内部を通って室内ＲＳへと吹き出される空気が通る開口である。吹出しチャンバー３は、その大部分が天井裏ＣＳ側に位置しており、吹出口３１が天井面ＣＬに設けられた開口（以下、「吹出しチャンバー用開口３２」という。）を通して室内ＲＳ側に面するように配置される。
【００２３】
なお、吹出しチャンバー用開口３２（開口）は、天井面ＣＬを構成する天井ボード８１をくり抜いて設けられており、室内ＲＳから天井裏ＣＳまで貫通している。吹出しチャンバー用開口３２は、吹出口３１とほぼ一致する形状であり、吹出口３１よりも若干大きく形成されている。吹出口３１は正方形の形状を有しており、吹出しチャンバー用開口３２も正方形の形状となっている。また、吹出しチャンバー用開口３２は、下方から見て輻射パネル１の中央近傍に位置している。
【００２４】
〈吸込みチャンバー〉
吸込みチャンバー４は、室内ＲＳの空気を取り込んで温度調整ユニット２へと送る部分であり、図４（ｂ）に示すように、吸込口４１を有する。吸込口４１は、吸込みチャンバー４の下面に設けられており、吸込みチャンバー４は、その大部分が天井裏ＣＳ側に位置しており、吸込口４１が天井面ＣＬに設けられた開口（以下、「吸込みチャンバー用開口４２」という（図４（ａ）参照）。）を通して室内ＲＳ側に面するように配置される。吸込みチャンバー４は、温度調整ユニット２と連結される吸込みダクト４１に連結されており、吸込みダクト４１を介して室内ＲＳから取り込んだ空気を温度調整ユニット２へと送る。
【００２５】
〈支持フレーム〉
支持フレーム６は、板金から形成されており、天井面ＣＬに固定され輻射パネル１を支持する部材である。支持フレーム６は、図４（ｃ）に示すように、長方形の外形を有する枠であり、吹出しチャンバー用開口３２から所定距離離れた位置に設けられており、吹出しチャンバー用開口３２の周囲を囲むように設けられる。支持フレーム６は、複数の直線状部材が組み合わされて形成されており、各直線状部材はレール状の形状となっている。支持フレーム６の厚さ（鉛直方向の寸法）は、水平方向の寸法と比較して小さく、支持フレーム６は全体として鉛直方向に薄い形状となっている。支持フレーム６には、ネジが通される複数のネジ穴（図示せず）が設けられており、天井面ＣＬを構成する天井ボード８１および天井裏ＣＳ側で天井ボード８１を支持する下地材８２にネジ止めされる。このネジ穴の個数は、支持フレーム６の固定に用いられる数よりも多く設定されている。なお、図２においては、下地材８２の１つにのみ符号を付し、他は省略している。支持フレーム６は、吹出しチャンバー３、輻射パネル１および隙間閉塞シート５と別体であり、吹出しチャンバー３、輻射パネル１および隙間閉塞シート５とは別に独立して天井面ＣＬに取り付け可能となっている。
【００２６】
〈隙間閉塞シート〉
隙間閉塞シート５（隙間閉塞部材）は、吹出しチャンバー用開口３２から支持フレーム６までに亘って設けられたシート状の部材であり、吹出しチャンバー３の吹出口３１の縁と天井面ＣＬに設けられた吹出しチャンバー用開口３２との隙間を閉塞する。隙間閉塞シート５は、天井面ＣＬに貼付されることにより天井面ＣＬに固定されるが、ネジなどによって固定されてもよい。隙間閉塞シート５は、隙間を閉塞すると共に、天井面ＣＬを汚れから保護する防汚シートとしても機能する。なお、隙間閉塞シート５に重ねて断熱材が設けられてもよい。或いは、隙間閉塞シート５が断熱性を有するものであってもよい。隙間閉塞シート５は、支持フレーム６の厚さよりも薄く、支持フレーム６と同様の長方形の外形を有する。
【００２７】
〈輻射パネル〉
輻射パネル１は、支持フレーム６の下面全体を覆うように下方から支持フレーム６に取り付けられ、支持フレーム６に支持される。輻射パネル１は、吹出口３１を室内ＲＳ側から覆うように配置され、天井面ＣＬから支持フレーム６の厚さに相当する距離を隔てて天井面ＣＬに略平行に配置される。これにより、輻射パネル１は、吹出口３１から吹き出された空気が取り込まれる内部空間ＩＳを構成する。すなわち、この内部空間ＩＳは、隙間閉塞シート５、支持フレーム６および輻射パネル１によって構成されており、上方が吹出しチャンバー用開口３２を除いて隙間閉塞シート５によって閉じられ、側方が支持フレーム６によって閉じられ、下方が輻射パネル１によって閉じられている。輻射パネル１は、空気が透過する布等の繊維系材料によって形成されている。繊維系材料としては織布が望ましいが不織布や他の繊維系材料であってもよい。また、輻射パネル１は、図１に示すように、厚みの小さい平坦な形状を有している。輻射パネル１によって構成される内部空間ＩＳには、吹出口３１から温度調整された空気が送られることによって、大気圧より大きな圧力が生じる。また、輻射パネル１を形成する繊維系材料は、柔軟且つ空気が透過可能であると共に約０．９の輻射率を有する。このため、内部空間ＩＳに送られた空気は、輻射パネル１の繊維の目の隙間から穏やかに室内ＲＳへと吹出される。また、内部空間ＩＳに送られた空気によって輻射パネル１の温度が調整されることにより、輻射パネル１から輻射が生じる。これにより、穏やかな空気の吹出しと輻射とによって室内ＲＳの温度調整を行うことができる。なお、繊維系材料は伸縮性を有している。輻射パネル１は、平坦な薄型の板状の外形を呈しており、下方の室内ＲＳに対して長方形の投影形状を有している。輻射パネル１は、例えば、室内ＲＳに配置される寝具を平面的に覆う程度の大きさを有している。
【００２８】
〈外フレーム〉
外フレーム７は、輻射パネル１が取り付けられた支持フレーム６の周囲を外側から覆う枠状の部材である。外フレーム７は、支持フレーム６よりもひとまわり大きい長方形の外形を有しており、支持フレーム６とほぼ同じ厚さを有する。外フレーム７は支持フレーム６に固定されるか、又は、天井面ＣＬに固定される。外フレーム７は樹脂や木材から形成されており、例えば、木材から形成されることによって美しい木目が外観に表れ美観が向上する。
【００２９】
＜設置方法＞
この空気調和機１００を家屋に設置するときの設置方法を図３および図４に基づいて説明する。
まず、第１ステップＳ１において、吹出しチャンバー用開口３２が作成される。ここでは、図４（ａ）に示すように、天井面ＣＬを構成する天井ボード８１に穴が開けられ、吹出しチャンバー用開口３２が天井面ＣＬに設けられる。この吹出しチャンバー用開口３２は、吹出しチャンバー３の吹出口３１の外形程度の大きさであり、輻射パネル１および支持フレーム６より小さくてよい。また、吹出しチャンバー用開口３２は、室内ＲＳに配置された寝台の上方など、室内ＲＳのレイアウト等に合わせて設けられる。
【００３０】
第２ステップＳ２では、吸込みチャンバー用開口４２が作成される。ここでは、図４（ａ）に示すように、天井ボード８１に穴が開けられ、吸込みチャンバー用開口４２が天井面ＣＬに設けられる。また、吸込みチャンバー用開口４２は、天井面ＣＬの隅など比較的目立たない位置に設けられる。
なお、第１ステップＳ１と第２ステップＳ２とは、新築物件などのように当初から天井面ＣＬに開口が設けられる場合には省略可能である。
【００３１】
次に、第３ステップＳ３では、温度調整ユニット２が設置される。ここでは、図４（ｂ）に示すように、温度調整ユニット２が天井裏ＣＳに運び込まれ、天井裏ＣＳに配設された梁等に固定される。温度調整ユニット２は、吊りボルト２１（図２参照）などによって梁から吊り下げられて固定される。
第４ステップＳ４（吹出部設置ステップ）では、吹出しチャンバー３が設置される。ここでは、図４（ｂ）に示すように、吹出しチャンバー３が、天井面ＣＬに設けられた吹出しチャンバー用開口３２を通して吹出口３１が室内ＲＳ側に面するように配置される。吹出しチャンバー３は天井裏ＣＳに運び込まれ、吹出しチャンバー３の吹出口３１が吹出しチャンバー用開口３２に天井裏ＣＳ側から挿入されるように吹出しチャンバー３が設置される。この状態において、吹出口３１は吹出しチャンバー用開口３２から室内ＲＳ側に露出している。
【００３２】
なお、温度調整ユニット２と吹出しチャンバー３とが一体に設けられている場合には、第３ステップＳ３と第４ステップＳ４とが同時に行われてもよい。
第５ステップＳ５では、吸込みチャンバー４が設置される。ここでは、図４（ｂ）に示すように、吸込みチャンバー４が、吸込みチャンバー用開口４２を通して吸込口４１が室内ＲＳ側に面するように配置される。吸込みチャンバー４は、天井裏ＣＳに運び込まれ、吸込みチャンバー４の吸込口４１が吸込みチャンバー用開口４２に天井裏ＣＳ側から挿入されるように吸込みチャンバー４が設置される。
【００３３】
第６ステップＳ６では、吸込みダクト４１の接続が行われる。ここでは、図４（ｂ）に示すように、吸込みチャンバー４と温度調整ユニット２とが吸込みダクト４１によって接続される。なお、吸込みダクト４１は天井裏ＣＳにおいて配設される。
第７ステップＳ７（支持フレーム固定ステップ）では、支持フレーム６の固定が行われる。ここでは、図４（ｃ）に示すように、輻射パネル１を支持する支持フレーム６が天井面ＣＬに固定される。このとき、支持フレーム６が図２に示すように、鉛直方向から見て下地材８２に重なるように位置合わせが行われる。そして、支持フレーム６のネジ穴を介して天井ボード８１および下地材８２にネジが打ち込まれ、支持フレーム６と天井ボード８１および下地材８２とがネジ止めされる。なお、支持フレーム６が複数の別体の部材から構成されている場合、各部材を組み立てた後に支持フレーム６が天井面ＣＬに固定されてもよく、各部材を組み立てる前に個々に天井面ＣＬに固定してもよい。
【００３４】
第８ステップＳ８（隙間閉塞部材固定ステップ）では、隙間閉塞シート５の固定が行われる。ここでは、図４（ｄ）に示すように、隙間閉塞シート５が天井面ＣＬに固定され、吹出しチャンバー３の吹出口３１と、吹出しチャンバー用開口３２との隙間が閉塞される。吹出しチャンバー用開口３２は、吹出口３１と同程度の大きさであるが、吹出しチャンバー３の設置のために、吹出口３１よりも僅かに大きく形成される。隙間閉塞シート５は、この隙間を閉塞するために設けられる。隙間閉塞シート５は、吹出口３１の縁と支持フレーム６との間を埋めるように天井面ＣＬに貼付される。
【００３５】
第９ステップＳ９（輻射パネル設置ステップ）では、輻射パネル１が設置される。ここでは、図４（ｅ）および図２に示すように、輻射パネル１が、吹出口３１を室内ＲＳ側から覆うように支持フレーム６に固定される。輻射パネル１は、弛みが生じないように張った状態で固定される。
第１０ステップＳ１０では、外フレーム７の取付が行われる。ここでは、図４（ｆ）に示すように、外フレーム７が、支持フレーム６および輻射パネル１の外周に取り付けられる。
【００３６】
なお、上記第１ステップＳ１から第１０ステップＳ１０までの工程は、可能であれば必要に応じて順番が入れ替わってもよい。
＜特徴＞
（１）
この空気調和機１００では、温度調整された空気が吹出口３１から輻射パネル１の内部空間ＩＳに送られる。輻射パネル１は所定の輻射率を有する素材で形成されているため、温度調整された空気によって輻射パネル１の温度が調整されることによって、その表面から輻射が生じる。また、輻射パネル１を形成する素材は繊維系材料であるため、内部空間ＩＳの圧力が室内ＲＳの圧力よりも大きくなると、輻射パネル１の繊維の隙間から温度調整された空気が室内ＲＳへと吹き出される。これにより、輻射と吹出しとの併用によって室内ＲＳの温度調整を行うことができ、吹き出しのみによって温度調整が行われる場合よりも、穏やかな空気の吹き出しによって室内ＲＳの温度調整を行うことができる。また、輻射パネル１から吹き出される空気は、繊維の隙間から吹き出されるため穏やかな空気の流れとなる。このため、ドラフト感少なく室内ＲＳの温度調整を行うことができ、室内ＲＳの居住者にとって快適な温度調整を行うことができる。
【００３７】
（２）
上記のような空気調和機１００においては、ドラフト感少なく室内ＲＳの温度調整を行うために、輻射パネル１は比較的大きな面積を有することが望ましい。輻射パネル１が平面的に大きなものである場合、その内部を十分に空気で満たすことが困難である。例えば、輻射パネル１の一方の端部に吹出口が取り付けられ、温度調整された空気が輻射パネル１の一方の端部から内部に送られる場合は、他方の端部まで空気を十分に到達させることが困難である。また、他方の端部まで空気を十分に到達させるために空気の流速を増大させると、吹出口３１近傍に負圧が生じて逆に室内ＲＳの空気が輻射パネル１の内部に吸い込まれる恐れがある。
【００３８】
しかし、この空気調和機１００では、上記のように、吹出口３１が輻射パネル１の中央近傍に設けられているため、温度調整された空気は輻射パネル１の中央部分から輻射パネル１の内部へ送られる。これにより、温度調整された空気が輻射パネル１の端部まで容易に到達することができる。
（３）
この空気調和機１００では、支持フレーム６が隙間閉塞シート５と別体であるため、支持フレーム６の取付の際に隙間閉塞シート５の配置の影響が少ない。このため、支持フレーム６の天井面ＣＬへの取付の際の位置合わせが容易である。また、これにより、天井面ＣＬの限られた位置に配置されている下地材８２への固定も容易である。さらに、下地材８２へ固定することにより、強固な固定が可能である。
【００３９】
（４）
この空気調和機１００では、吹出しチャンバー用開口３２が支持フレーム６より小さく、且つ、支持フレーム６と吹出しチャンバー３とが別体であるため、支持フレーム６を天井面ＣＬに設置する際に支持フレーム６の設置位置の自由度が高い。すなわち、支持フレーム６の内側に吹出しチャンバー用開口３２が位置する範囲内で、支持フレーム６の位置や方向を自在に設定することができる。
【００４０】
（５）
この空気調和機１００では、吹出しチャンバー用開口３２として天井面ＣＬに設けられる開口が比較的小さくてもよいため、施工工事が簡易である。すなわち、輻射パネル１を天井面ＣＬに取り付けるために輻射パネル１と同じ大きさの開口が天井面ＣＬに設けられる場合、天井面ＣＬに大きな開口を穿つ必要があるため施工工事が困難となる。また、輻射パネル１と同じ大きさの開口すなわち支持フレーム６の外形と同じ大きさの開口が天井面ＣＬに設けられる場合、支持フレーム６をその開口の位置に合わせて設置する必要が生じる。このため、支持フレーム６の取付位置の自由度が低くなり、取付が困難である。しかし、この空気調和機１００では、吹出しチャンバー用開口３２が比較的小さいため、吹出しチャンバー用開口の施工工事が容易であると共に、支持フレーム６の取付も容易である。
【００４１】
＜他の実施形態＞
（１）
上記の実施形態では、支持フレーム６は板金製であるが、樹脂製であってもよい。これにより、支持フレーム６の軽量化が可能である。
（２）
上記の実施形態では、輻射パネル１を形成する繊維系材料の輻射率は０．９であるが、０．６以上の輻射率であればよい。ただし、輻射による温度調整を向上させる観点からは０．９以上であることがより望ましい。
【００４２】
（３）
隙間閉塞シート５に代えて板状の隙間閉塞パネルが設けられてもよい。この場合も隙間閉塞パネルと支持フレーム６とが別体にされることによって、支持フレーム６の取付の自由度を向上させて取付を容易にすることができる。
（４）
上記の実施形態では、温度調整ユニット２の下面に吹出しチャンバー３が取り付けられているが、温度調整ユニット２が吹出しチャンバー３から離れた位置に設けられ、吹出しチャンバー３と温度調整ユニット２とがダクトによって接続されてもよい。これにより、温度調整ユニット２から吹き出された温度調整された空気はダクトを通って吹出しチャンバー３に送られ、吹出口３１から吹き出される。
【００４３】
（５）
上記の実施形態では、支持フレーム６はネジによって天井面ＣＬに固定されているが、釘やボルト・ナットなどの他の固定手段によって固定されてもよい。
（６）
上記の実施形態では、吹出しチャンバー用開口３２は正方形であるが、長方形や円形など他の形状であってもよい。
【産業上の利用可能性】
【００４４】
本発明によれば空気調和機の設置を容易にすることができ、空気調和機および空気調和機の設置方法として有用である。
【図面の簡単な説明】
【００４５】
【図１】空気調和機を室内側から見た斜視図
【図２】空気調和機の構成を示す側面断面図
【図３】空気調和機の設置方法を示すフローチャート
【図４】空気調和機の設置方法を示す模式図
【符号の説明】
【００４６】
１        輻射パネル
２        温度調整ユニット
３        吹出しチャンバー（吹出部）
５        隙間閉塞シート（隙間閉塞部材）
６        支持フレーム
７        外フレーム
３１      吹出口
３２      吹出しチャンバー用開口（開口）
８２      下地材
１００    空気調和機
ＣＬ      天井面
【図１】
2006300426.tif 000003
【図２】
2006300426.tif 000004
【図３】
2006300426.tif 000005
【図４】
2006300426.tif 000006